(57)【要約】救命担架（１０）は、マットレスフレーム（２５）へ接続されたマットレス（２６）を含んでいるベッド組立体（２０）と、マットレスフレームへ接続されていてマットレスフレームを支持しているシャーシ組立体（３０）であって、救命担架を輸送車両へ固定する働きをするシャーシ組立体と、救命担架の周りに配置されていて複数の周波数の振動を低減する働きをする複数の振動減衰部（４０、４１、４２、４４、５０、５４、６０、６１、３９、２６）と、を含んでおり、複数の振動減衰部は、第１振動発生源からの第１周波数範囲の振動を低減する働きをする第１振動減衰部と、第２振動発生源からの第２周波数範囲の振動を低減する働きをする第２振動減衰部と、を備え、ここに第１周波数範囲は第２周波数範囲とは異なっている。【選択図】図１
2013542045.tif 000002
【特許請求の範囲】
【請求項１】
救命担架において、
マットレスフレームへ接続されたマットレスを備えているベッド組立体と、
前記マットレスフレームへ接続されていて当該マットレスフレームを支持しているシャーシ組立体であって、前記救命担架を輸送車両へ固定する働きをするシャーシ組立体と、
前記救命担架の周りに配置されていて複数の周波数の振動を低減する働きをする複数の振動減衰部と、を備えており、
前記ベッド組立体は、調節可能な上体部分及び調節可能な下体部分を備えており、前記第１の複数の振動減衰部は、前記調節可能な上体部分か又は前記調節可能な下体部分のどちらかの周りに配置されており、
前記複数の振動減衰部は、第１振動発生源からの第１周波数範囲の振動を低減する働きをする第１振動減衰部と、第２振動発生源からの第２周波数範囲の振動を低減する働きをする第２振動減衰部と、を備えており、ここに前記第１周波数範囲は前記第２周波数範囲とは異なっている、救命担架。
【請求項２】
前記第１振動減衰部は、前記シャーシ組立体へ接続されている複数の把持部を備えている、請求項１に記載の救命担架。
【請求項３】
前記第２振動減衰部は、前記シャーシ組立体と前記マットレスフレームの間のマットレスフレーム接続部を備えており、前記マットレスフレーム接続部は前記マットレスフレームの外管と前記シャーシ組立体の間の接続部を備えている、請求項１に記載の救命担架。
【請求項４】
前記複数の振動減衰部は、第３振動発生源からの第３周波数範囲の振動を低減する働きをする第３振動減衰部を更に備えている、請求項１に記載の救命担架。
【請求項５】
前記第３振動減衰部は前記マットレスを備えている、請求項４に記載の救命担架。
【請求項６】
前記第１周波数範囲は、約１７５０Ｈｚから約１８５０Ｈｚの間であり、前記第２周波数範囲は、約４５０Ｈｚから約５５０Ｈｚの間である、請求項１に記載の救命担架。
【請求項７】
前記第３周波数範囲は、約３０Ｈｚから約７０Ｈｚまでを含んでいる、請求項４に記載の救命担架。
【請求項８】
前記シャーシ組立体は、第１下水平管へ第１の複数の垂直シャーシ支持部によって接続されている第１上水平管と、第２下水平管へ第２の複数の垂直シャーシ支持部によって接続されている第２上水平管と、を備えており、前記第１上水平管及び前記第１下水平管は前記第２上水平管及び前記第２下水平管へ複数の横木によって接続されている、請求項１に記載の救命担架。
【請求項９】
前記第１振動減衰部は、前記第１の複数の垂直シャーシ支持部と、前記第２の複数の垂直シャーシ支持部と、を備えている、請求項８に記載の救命担架。
【請求項１０】
救命担架において、
マットレスフレームへ接続されたマットレスを備えているベッド組立体と、
前記マットレスフレームへ接続されていて当該マットレスフレームを支持しているシャーシ組立体であって、前記シャーシ組立体は、第１下水平管へ第１の複数の垂直シャーシ支持部によって接続されている第１上水平管と、第２下水平管へ第２の複数の垂直シャーシ支持部によって接続されている第２上水平管と、を備えており、前記第１上水平管及び前記第１下水平管は前記第２上水平管及び前記第２下水平管へ複数の横木によって接続されている、シャーシ組立体と、
前記シャーシ組立体と前記マットレスフレームの間の複数のマットレスフレーム接続部に配置されている複数の振動減衰部であって、複数の周波数の振動を低減する働きをしている複数の振動減衰部と、を備えている救命担架。
【請求項１１】
前記第１上水平管と前記第１下水平管の間に配置されている第１の規格化された取付軌道と、前記第２上水平管と前記第２下水平管の間に配置されている第２の規格化された取付軌道と、を更に備えており、前記第１の規格化された取付軌道及び前記第２の規格化された取付軌道は、医療器材を取り付けるのに使用される規格化された取付ピンを係合させる働きをしている、請求項１０に記載の救命担架。
【請求項１２】
前記ベッド組立体は、調節可能な上体部分及び調節可能な下体部分と、前記ベッド組立体の前記調節可能な上体部分を前記シャーシ組立体の前記複数の横木の１つへ接続している可動式支柱であって、前記調節可能な上体部分を昇降させる働きをする可動式支柱と、を備えている、請求項１０に記載の救命担架。
【請求項１３】
前記複数の振動減衰部は、前記可動式支柱が前記調節可能な上体部分へ接続している所と、前記可動式支柱が前記複数の横木の前記１つへ接続している所と、に配置されている、請求項１２に記載の救命担架。
【請求項１４】
前記ベッド組立体は、胴体上部ハーネス、中間部ベルト、脚部ベルト、又はそれらの組合せ、から成る群より選択された複数の安全拘束具を備えている、請求項１０に記載の救命担架。
【請求項１５】
前記シャーシ組立体へ接続されていて当該シャーシ組立体へ向けて伸展位置から折り畳み位置へ畳み込むことのできる複数の把持部組立体を更に備えており、前記複数の把持部組立体は、前記折り畳み位置に入ったときに振動減衰部を構成する、請求項１２に記載の救命担架。
【請求項１６】
前記複数の把持部組立体のそれぞれは、
前記シャーシ組立体へ取り付けられている接続端と、
前記接続端の中へ挿入できて前記接続端から外へ延びているプラグと、
前記プラグの上を滑動し当該プラグから離れて延びるように構成されているコアと、
前記コアの上を滑動することができる絶縁体であって、振動減衰材料を備えている絶縁体と、
前記コア及び前記絶縁体へ接続されている把持部と、を備えている、請求項１５に記載の救命担架。
【請求項１７】
複数の足部は、シャーシ組立体へ接続されていて、床に置かれたときの前記救命担架を支持する働きをしており、前記複数の足部は、振動減衰部を備えている、請求項１０に記載の救命担架。
【請求項１８】
前記シャーシ組立体は、折り畳み式担架輸送組立体へ固定する働きをしている、請求項１０に記載の救命担架。
【発明の詳細な説明】
【技術分野】
【０００１】
本発明は、振動を低減する救命担架に関する。
【背景技術】
【０００２】
救命担架は、患者を、身体的外傷の地点から治療施設まで、固定し輸送するために使用することができる。その様な輸送には、多様な輸送手段（例えば、人、自動車、航空機、ヘリコプター、など）が関わり、それら輸送手段のそれぞれは様々な力を救命担架へ加える可能性がある。例えば、救急車で移動中の救命担架は、第１の周波数範囲の一定振動を被ることであろう。次いで、救命担架がヘリコプターに載せられると、第１の周波数範囲と完全に又は部分的に違う第２の周波数範囲の一定振動を被ることであろう。複数の異なった外部発生源からのこれらの様々な周波数範囲の振動は、マットレスに固定された患者の快適性を或いは健康さえも損ないかねない。また、輸送手段各々に異なった物理的制約のせいで、救命担架はその寸法と特徴が制限される場合が多い。これらの制限により、更には、例えば患者に自身の体位を調節させる余裕が無いなら、患者の改善が妨げられることになろう。或いは又は加えて、これらの制限により、医療器材を患者近くの容易にアクセスできる場所に保管することが妨げられることもあろう。
【発明の概要】
【発明が解決しようとする課題】
【０００３】
従って、振動を低減させ患者ケアを向上させるための代わりの救命担架の必要性が存在している。
【課題を解決するための手段】
【０００４】
１つの実施形態では、救命担架は、マットレスフレームへ接続されたマットレスを含んでいるベッド組立体と、マットレスフレームへ接続されていてマットレスフレームを支持しているシャーシ組立体であって、救命担架を輸送車両へ固定する働きをするシャーシ組立体と、救命担架の周りに配置されていて複数の周波数の振動を低減する働きをするものとされる振動減衰部と、を含んでいる。複数の振動減衰部は、第１振動発生源からの第１周波数範囲の振動を低減する働きをするものとされる第１振動減衰部と、第２振動発生源からの第２周波数範囲の振動を低減する働きをするものとされる第２振動減衰部と、を含んでおり、ここに第１周波数範囲は第２周波数範囲とは異なるものとされている。
【０００５】
別の実施形態では、救命担架は、マットレスフレームへ接続されたベッド組立体と、マットレスフレームへ接続されていてマットレスフレームを支持しているシャーシ組立体と、を含んでいる。シャーシ組立体は、第１下水平管へ第１の複数の垂直シャーシ支持部によって接続されている第１上水平管と、第２下水平管へ第２の複数の垂直シャーシ支持部によって接続されている第２上水平管と、を含んでいてもよく、第１上水平管及び第１下水平管は、第２上水平管及び第２下水平管へ、複数の横木によって接続されている。救命担架は、更に、シャーシ組立体とマットレスフレームの間の複数のマットレスフレーム接続部に配置されている複数の振動減衰部を含んでいてもよい。複数の振動減衰部は、複数の周波数の振動を低減する働きをするものとされている。
【０００６】
ここに説明されている実施形態によって提供されているこれらの追加の特徴は、次に続く詳細な説明を図面と関連付けて考察することでより深く理解されることであろう。
図面に示されている実施形態は、本質的に、説明を目的とするものであって例示であり、特許請求の範囲によって定義されている主題を限定しようとするものではない。次に続く例示的な実施形態の詳細な説明は、以下の図面と関連付けて読まれれば理解されることであり、図面中、同様の構造は同様の符号で表示されている。
【図面の簡単な説明】
【０００７】
【図１】ここに示され説明されている１つ又はそれ以上の実施形態による救命組立体を描いている側面図である。
【図２】ここに示され説明されている１つ又はそれ以上の実施形態による救命組立体を描いている上方斜視図である。
【図３】ここに示され説明されている１つ又はそれ以上の実施形態による、シャーシ組立体へ接続されていてシャーシ組立体によって支持されているマットレスフレームを描いている上方斜視図である。
【図４】ここに示され説明されている１つ又はそれ以上の実施形態によるマットレスを描いている上方斜視図である。
【図５】ここに示され説明されている１つ又はそれ以上の実施形態による折り畳み式車輪付き簡易寝台へ固定されている救命組立体を描いている側面図である。
【図６】ここに示され説明されている１つ又はそれ以上の実施形態によるシャーシ組立体を描いている上方斜視図である。
【図７】ここに示され説明されている１つ又はそれ以上の実施形態によるシャーシ組立体支持部を備えている振動減衰部を描いている。
【図８】ここに示され説明されている１つ又はそれ以上の実施形態による把持部組立体を備えている振動減衰部の分解図である。
【図９】ここに示され説明されている１つ又はそれ以上の実施形態による可動式支柱のためのゴムブッシングを備えている振動減衰部を描いている。
【発明を実施するための形態】
【０００８】
図１は、救命担架の１つの実施形態を全体的に描いている。救命担架は、概して、シャーシ組立体によって支持されているベッド組立体を備えている。救命担架は、更に、マットレスに載せられている患者を外的発生源からの振動から隔離するのに役立つ、救命担架の周りに配置された複数の振動減衰部を備えている。患者に感じ取られる前に減衰させる周波数範囲を最大化するために、様々な振動減衰部はそれぞれ異なった振動周波数へ合わされていてもよい。救命担架は、更に、調節可能なマットレスフレーム及び／又は自在取付ブラケットの設けられたシャーシ組立体内の保管区域の様な、患者の安全と快適性を高める様々な他の特徴を備えることができる。ここでは、救命担架の様々な実施形態を詳細に説明してゆく。
【０００９】
これより図１及び図２を参照すると、救命担架１０の１つの実施形態が描かれている。救命担架１０は、概して、シャーシ組立体３０へ接続されていてシャーシ組立体３０によって支持されているベッド組立体２０を備えていてもよい。１つの実施形態では、ベッド組立体２０は、マットレスフレーム２５によって支持されているマットレス２６を備えていてもよい。マットレス２６は、発泡体、ゴム、布、又は他の詰め物の様な、任意の材料を、単独で又は組み合わせて、備えていてもよく、その上へ個体が配置されることになる。例えば、１つの実施形態では、マットレス２６は、空気マットレスを備えていてもよく、その場合、マットレス２６は、その上に配置された個体の様々な部分を個々に支持することができる１つ又はそれ以上の空気袋を備えている。別の実施形態では、マットレス２６は複数の部分２６ａ、２６ｂ、２６ｃ、及び２６ｄを備えていて、複数の部分２６ａ、２６ｂ、２６ｃ、及び２６ｄのそれぞれの位置を互いに対して個別に調節できるようになっていてもよい（ここで理解されてゆくであろうが、マットレスフレーム２５が複数の部分２５ａ、２５ｂ、２５ｃ、及び２５ｄを備えている場合も同様である）。マットレス２６は、マットレスフレーム２５へ、クリップ、ベルト、ベルクロ、又は何れかの他の実施可能な接続を使用して締結することができるであろう。更に別の実施形態では、患者をマットレス２６へ固定するのに使用される１つ又はそれ以上のハーネスは、ここで追って理解されてゆくであろうが、更にマットレス２６をマットレスフレーム２５へ固定する役目を果たしていてもよい。
【００１０】
マットレスフレーム２５は、マットレス２６を支持すると共にシャーシ組立体３０へ接続する働きをする何れの構造を備えていてもよい。例えば、マットレスフレーム２５は、途切れなく中実であるか又は１つ又はそれ以上のギャプを含んでいるかの何れかである複数の平坦表面部分２５ａ、２５ｂ、２５ｃ、及び２５ｄを備えることができる。１つの特定の実施形態では、図３に最も明瞭に示されている様に、マットレスフレーム２５は、マットレスフレーム２５の外周を廻って延びている外管２７を備えていてもよい。支持材料２８は、それが複数の平坦な表面部分２５ａ、２６ｂ、２６ｃ、及び２５ｄのそれぞれを構成するように外管２７（図示）の中央領域内に配置されるようにして外管２７へ固定されていてもよい。支持材料２８は、何れかのプラスチック、メッシュ、木材、又はマットレスと患者の両方を支持するに足る他の材料、を備えることができる。更に別の実施形態では、マットレスフレーム２５は、マットレス２６とマットレスフレーム２５が永久的に接続されているように、マットレス２６と一体であってもよい。例えば、マットレス２６は、マットレスフレーム２５がマットレス２６と一体となるようにシャーシ組立体３０へ接続する働きをする内側のマットレスフレーム２５を備えていてもよい。マットレス２６とマットレスフレーム２５は、マットレス２６がマットレスフレーム２５上に支持されてその上に配置された患者を支えられるようにする何れの長さＬと幅Ｗを備えていてもよい。例えば、１つの実施形態では、マットレス２６とマットレスフレーム２５は、マットレスフレーム２５上に配置されたマットレス２６の寸法がそれに隣接する周囲のものに干渉しないように、その意図された用途（例えば、民間使用、軍事使用、航空機、地上車両、など）と実質的に均一な寸法を備えていてもよい。１つの実施形態では、各種マットレス２６及び／又は各種マットレスフレーム２５は、個々のマットレス２６を個々のマットレスフレーム２５に対しそれらの特定の物理的特性に基づいて選択できるようにしたモジュール使用向けに利用できるようになっていてもよい。
【００１１】
図１−図４を参照して、ベッド組立体２０は、上体部分２１と下体部分２２を備えていてもよい。上体部分２１は、ベッド組立体２０の、患者の上体（即ち、腰より上方の身体の部分）を支持する部分とされる。下体部分２２は、ベッド組立体２０の、患者の下体（即ち、患者の脚部）を支持する部分とされる。図１−図４に示されている様な１つの例示としての実施形態では、上体部分２１及び／又は下体部分２２は調節可能であってもよい。ここでの使用に際し、「調節可能」とは、ベッド組立体２０上に配置されたときの患者の上体及び／又は下体を身体の残り部分に対して昇降させることができることを意味する。例えば、図１−図２に最も明瞭に示されている様に、調節可能な上体部分２１は、患者の頭部が胸部より高い位置になるように可動式支柱６０を介して起こすことができる。更に、調節可能な下体部分２２は、同様に、患者の足部が胴体部に対して高い位置になるように起こすことができる。調節可能な上体部分２１と調節可能な下体部分２２は、更に、患者の体位を変える何れの代わりの構成で調節可能になっていてもよいものと理解されたい。
【００１２】
図１、図２、及び図４を参照して、ベッド組立体２０は、更に、患者をマットレス２６に解放可能に拘束する１つ又はそれ以上の安全拘束具７０を備えていてもよい。安全拘束具７０は、マットレス２６に横たわる患者の周りに巻き付くことができて患者のベッド組立体２０から離れる運動を制限するよう調節可能に締めることのできる、様々なハーネス類及びベルト類の何れの組合せを備えていてもよい。１つの実施形態では、ベッド組立体２０は、患者の胴体上部を固定する働きをする胴体上部ハーネス７１を備えていてもよい。例えば、図２に最も明瞭に示されている様に、胴体上部ハーネス７１は、肩部ストラップと胸部ストラップの両方を備えていてもよい。ベッド組立体２０の上体部分２１は、患者の頭部と頚部が２つの肩部ストラップの間に配置されるように胴体上部ハーネス７１の肩ストラップを受け入れるスリットを備えていてもよい。胴体上部ハーネス７１は、更に、中間部ベルト７２へ、１つ又はそれ以上のクリップ７３を介して接続されていてもよく、そうすれば患者が突発的な運動（例えば急な加速又は減速など）のせいで頭部側からベッド組立体２０を滑り落ちることが制限される。別の実施形態では、図１及び図２に示されている様に、安全拘束具７０は、更に、１つ又はそれ以上の脚部ベルト７４、７５を備えていてもよい。脚部ベルト７４、７５は、患者の身体の上を渡して身体へ固定することによって、患者の脚部をベッド組立体２０へ固定する働きをするものとされている。脚ベルト７４、７５並びに安全拘束具７０の残りの部分もまた、患者を固定する働きをする何れの型式の安全拘束具を備えていてもよい。１つの実施形態では、第１脚部ベルト７４は、輸送事故によって生じる可能性のある過大な力に持ちこたえることのできるベルト（例えば航空用途で使用されているベルトなど）を備えていてもよい。第２脚部ベルト７５は、より快適な脚部ベルトであって、快適性の改善された状態で患者の脚部を固定することができるが但し頑丈なベルトと同じ量の力には耐えることのできないベルト、を備えていてもよい。また、安全拘束具は、ベッド組立体２０へ定着されていてもよいし、又はベッド組立体から取り外し可能であってもよい。例えば、定着式のベルトは、マットレス２６へ縫い込まれていてもよいし、マットレスフレーム２５へ固定されていてもよいし、又はそれ以外のやり方でベッド組立体２０へ接続されていてもよい。取り外し式のベルトは、単にマットレス２６又はベッド組立体２０全体の周りに巻き付けて、クリップ留めされたときに限ってマットレス２６（及び患者）へ固定された状態になるものであってもよい。患者がベッド組立体２０へ解放可能に固定された状態になるように、更に、何れの他の構成の安全拘束具７０が、ベッド組立体２０上へ又はベッド組立体２０と関連して、実施されていてもよいものと理解されたい。
【００１３】
上述の様に、ベッド組立体２０は、救命担架１０のシャーシ組立体３０へ接続していて、シャーシ組立体によって支持されている。次に図１−図３を参照して、シャーシ組立体３０は、ベッド組立体２０を接続及び支持しなお且つ輸送車両（例えば、救急車、ヘリコプター、航空機、トラック、など）との固定を可能にする何れの構造又は骨組みを備えていてもよい。図１−図３に示されている様な１つの実施形態では、シャーシ組立体３０は、第１下水平管３２へ第１の複数の垂直シャーシ支持部４０によって接続されている第１上水平管３１を備え、更に、第２下水平管３４へ第２の複数の垂直シャーシ支持部（図示せず）によって接続されている第２上水平管３３を備えることができる。第１管セット（即ち、第１上水平管３１と第１下水平管３２）は、第２管セット（即ち、第２上水平管３３と第２下水平管３４）へ、複数の横木３６によって接続することができる。１つの実施形態では、第１管セットと第２管セットは、全て、共通の長さＬを共有していてもよい。共通の長さＬは、ベッド組立体を接続し支持することのできる何れの長さＬを備えることもでき、例えばベッド組立体２０の長さ或いはベッド組立体２０より短い又は長い長さなどを備えることができる。別の実施形態では、第１上水平管３１及び第２上水平管３３は、第１下水平管３２及び第２下水平管３４とは異なった長さＬを備えていてもよい。個々の上下水平管３１、３２、３３、及び３４の長さＬは、ベッド組立体２０を接続し支持することのできる何れの長さを備えていてもよいものと理解されたい。
【００１４】
複数の横木３６は、第１管セット３１、３２を第２管セット３３、３４からベッド組立体２０の幅と実質的に同じ距離だけ離隔することができる。１つの例示としての実施形態では、複数の横木３６は、ベッド組立体２０全体が第１管セット３１、３２と第２管セット３３、３４の間に配置されるように、ベッド組立体２０より広い幅Ｗを有していてもよい。別の実施形態では、複数の横木３６は、ベッド組立体２０の一部分が第１管セット３１、３２及び／又は第２管セット３３、３４の上から張り出すように、ベッド組立体２０の幅Ｗより狭い幅Ｗを有していてもよい。更に別の実施形態では、複数の横木３６は、様々なフレームのベッド組立体２０に対応するべく調節可能であってもよい。例えば、その様な実施形態では、複数の横木３６は、幅方向Ｗに伸縮することのできる入れ子式部材を備えていてもよい。更に、シャーシ組立体３０は、例えば１つ、３つ、又は５つの様な、何れの数の複数の横木３６を備えていてもよい。複数の横木３６は、シャーシ組立体の周りに対称又は非対称のどちらのやり方で分散されていてもよく、従って、複数の横木３６はベッド組立体２０の周りに均等に分散されていることもあれば、或いは選択的に分散されていることもあろう。
【００１５】
以上に論じられている様に、１つの例示としての実施形態では、救命担架１０のシャーシ組立体３０は、１つ又はそれ以上の垂直シャーシ支持部４０を備えていてもよい。垂直シャーシ支持部は、シャーシ組立体３０の２つ又はそれ以上の構成要素を接続する何れの筋交い、トラス、又は類似物、を備えていてもよい。例えば、（図１−図３に示されている）１つの実施形態では、垂直シャーシ支持部４０は、第１上水平管３１を第１下水平管３２へ接続することができる。別の実施形態では、垂直シャーシ支持部４０は、第２上水平管３３を第２下水平管３４へ接続することができる。更に別の実施形態では、垂直シャーシ支持部４０は、第１上水平管３１、第１下水平管３２、第２下水平管３３、及び第２下水平管３４を含め、シャーシ組立体３０の他の複数の構成要素を接続することができる。垂直シャーシ支持部４０は、シャーシ組立体３０と同じ材料、シャーシ組立体３０とは異なった材料、又はそれらの組合せ、を備えていてもよい。更に、垂直シャーシ支持部４０は、シャーシ組立体３０と垂直シャーシ支持部４０が基本的に一体品を備えるように、シャーシ組立体３０と一体であってもよいし、又は代わりに、垂直シャーシ支持部４０は、シャーシ組立体３０へ、クランプ、ボルト、ねじ、ピン、又は類似物、を介して接続されている別体品を備えていてもよい。シャーシ組立体３０は、何れの数の垂直シャーシ支持部４０を備えることもでき、垂直シャーシ支持部４０は、シャーシ組立体の周りに何れの構成に配置されていてもよい。例えば、図１及び図２に示されている様な１つの実施形態では、シャーシ組立体全体で垂直シャーシ支持部が合計４つの場合について、シャーシ組立体３０は、シャーシ組立体３０の各側に２つの垂直シャーシ支持部４０を備えることができる。具体的には、２つの垂直シャーシ支持部４０は第１上水平管３１と第１下水平管３２を接続することができ、もう２つの垂直シャーシ支持部４０は第２上水平管３３を第２下水平管３４へ接続することができる。その様な実施形態では、垂直シャーシ支持部４０は、患者がベッド組立体２０のマットレス２６上に配置されたときの第１上水平管３１と第２上水平管３３の屈曲を防止することであろう。
【００１６】
図１に示されている１つの特定の実施形態では、第１上水平管３１を第１下水平管３２へ、及び／又は第２上水平管３３を第２下水平管３４へ、接続している１つ又はそれ以上の垂直シャーシ支持部４０は、全て、共通の高さを備えるものとすることができる。これによって、共通の高さ分だけ、第１上水平管３１を第１下水平管３２から離隔させ、第２上水平管３３を第２下水平管３４から離隔させることが可能となる。その結果、シャーシ組立体３０は、ベッド組立体２０の直下に、様々な医療器材（即ち、救命担架１０上に配置された患者のケアを支援するものとされる他の用具類や供給品類）を保管するのに使用できる保管区域９０を備えることができる。その様な医療器材には、例えば、ガスタンク、患者モニター、及び／又は医療用ポンプ、が含まれることであろう。
【００１７】
１つの特定の実施形態では、救命担架１０は、規格化された取付軌道３５を備えていてもよい。規格化された取付軌道３５は、第１上水平管３１を第１下水平管３２へ、及び／又は第２上水平管３３を第２下水平管３４と、接続すると同時に、規格化された相補的な取付ピンを含んでいる各種医療器材を支持する働きをするものとされている。例えば、規格化された取付軌道３５は、規格化された取付軌道３５に相補である規格化された取付ピンを受け入れることのできる何れの軌道又は取付面を備えていてもよい。取付ピンは、様々な個品を規格化された取付軌道３５に沿って差し替えできるように、多種多様な医療器材へ固定されていてもよい。それに関し、相補的な取付部品は、様々な医療器材へ、それら医療器材をシャーシ組立体３０の保管区域９０に入れ替え可能に保管できるように接続されていてもよい。
【００１８】
上述の様に、ベッド組立体２０は、シャーシ組立体３０へ接続することができる。１つの実施形態では、ベッド組立体２０のマットレスフレーム２５は、シャーシ組立体３０へ、１つ又はそれ以上のマットレスフレーム接続部を介して接続していてもよい。加えて、最終的にベッド組立体２０のマットレス２６をシャーシ組立体３０に対して固定するのに、ベッド組立体２０とシャーシ組立体３０の間の何れの型式のマットレスフレーム接続部が実施されていてもよい。例えば、図２に示されている様に、１つの実施形態では、マットレスフレーム２５の外管２７の１つ又はそれ以上の場所が、シャーシ組立体の１つ又はそれ以上の構成要素（例えば、第１上水平管３１、第１下水平管３２、第２上水平管３３、第２下水平管３４、又は複数の横木３６の１つ）へ、直接又間接のどちらのやり方で接続されていてもよい。接続は、ブラケット、ねじ、ボルト、クランプ、又はマットレスフレーム２５をシャーシ組立体３０へ定着式に固定する働きをする何れの他の類似の装置、によって円滑化することができる。１つの特定の実施形態では、１つ又はそれ以上の可動式支柱６０が、マットレスフレーム２５の一部をシャーシ組立体３０の一部へ、例えばマットレスフレーム２５の外管２７をシャーシ組立体３０の複数の横木３６の１つへ接続するなどにより、相互接続していてもよい。別の特定の実施形態では、複数の安全拘束具の１つ又はそれ以上がシャーシ組立体３０へ（中間部ベルト７２の様に）接続していて、安全拘束具が使用時にベッド組立体２０をシャーシ組立体３０へ更に固定するようになっていてもよい。
【００１９】
１つの実施形態では、救命担架１０は、複数の把持部５５を備えていてもよい。複数の把持部５５は、救命担架１０の持ち上げ又は輸送を可能にする、救命担架１０の何らかの延長部を備えていてもよい。図２に最も明瞭に示されている様に、１つの例示としての救命担架１０は、シャーシ組立体３０の４つの角のそれぞれに配置された４つの把持部５５を備えるものである。把持部５５は、救命担架１０の各側１人が救命担架１０を持ち上げ新しい場所へ輸送できるようにする。次に図１−図３及び図６を参照して、１つの例示としての実施形態では、救命担架は、それぞれに折り畳み可能な複数の把持部組立体５０を備えていてもよい。例えば、把持部組立体５０は、（図１−図３に示されている）伸展位置と（図６に示されている）折り畳み位置の間で移行するものであってもよい。折り畳み位置にある間、複数の把持部組立体５０はシャーシ組立体３０の方へ折り曲げられるか、引っ込められるか、又はそれ以外のやり方で畳み込まれ、シャーシ組立体３０全体の長さＬを減少させている。把持部組立体５０は、それにより、シャーシ組立体３０及び救命担架１０全体をより制限された空間に保管できるようにする。把持部組立体５０は、何れの実施可能な機構によって折り畳み可能にされていてもよい。例えば、１つの実施形態では、複数の把持部組立体５０のそれぞれは、把持部を伸展位置と折り畳み位置の間で回転させることのできる蝶番に沿ってシャーシ組立体３０へ接続されていてもよい。その様な実施形態では、取り外し可能なピン又は類似物が把持部を所定位置へロックする働きをしていてもよい。
【００２０】
次に図１−図３を参照して、救命担架１０は、更に、地面の上に配置された場合に救命担架１０を立てるための複数の足部３９を備えていてもよい。例えば、１つの実施形態では、複数の足部３９は、シャーシ組立体３０の第１下水平管３２及び第２下水平管３４の周りに配置されている下側の脚部又は突起であってもよい。その様な実施形態では、第１下水平管３２、第２下水平管３４、及びシャーシ組立体３０の残り部分が、地面から離れたより高くなった位置に保たれるように、複数の足部３９は、地面と直接接触させることになる延長部を備えていてもよい。複数の足部３９は、その結果、シャーシ組立体３０の１つ又はそれ以上の個々の構成要素を直接に擦ったりそれ以外に傷つけたりすることなしに救命担架１０を地面の上へ配置させられる。１つの実施形態では、複数の足部３９は、（以上に論じられている折り畳み式の把持部と同様）伸展位置と折り畳み位置の間で移行することができるように、折り畳まれるか又はスイベル回転するようになっていてもよい。別の実施形態では、複数の足部３９は、更に、救命担架１０を様々な輸送用の車両へ固定するのを支援する働きをしていてもよい。例えば、複数の足部３９は、複数の足部を車両へ接続又は固定して救命担架１０をその場に保持できるように、シャーシ組立体３０へ固定されていてもよい。その様な実施形態では、足部は、車両と救命担架１０の間の解放可能な固定を提供するように所定場所に、ストラップ固定されてもよいし、クランプ固定されてもよいし、ロックされてもよいし、又はそれ以外のやり方で定着されてもよい。
【００２１】
次に図５を参照して、別の実施形態では、救命担架１０は、折り畳み式担架輸送組立体８０によって解放可能に支持されるものである。折り畳み式担架輸送組立体８０は、概して、救命担架の支援式移動を可能にする車輪付き折り畳み式構造を備えていてもよい。具体的には、折り畳み式担架輸送組立体８０は、（図５に示されている）より大きな高さＨを提供する伸展位置と（救急車又は類似の車両内に配置される場合に要求される）より低い高さＨを提供する折り畳み位置の間で移行することができる。折り畳み式担架輸送組立体８０は、概して、折り畳み式脚部８２へ接続されている支持フレーム８１を備えていてもよい。支持フレームは、救命担架１０を解放可能に固定する働きをする何れの構造を備えていてもよい。例えば、折り畳み式担架輸送組立体８０の支持フレーム８１は、足部３９、第１下水平管３２、第２下水平管３４、又はシャーシ組立体３０の何れか他の部分、に係合していてもよい。折り畳み式脚部は、折り畳み式担架輸送組立体８０の高さの増加した（図５に示されている）伸展位置と折り畳み式担架輸送組立体８０の高さの減少した折り畳み位置の間で移行することのできる１つ又はそれ以上の脚部を備えていてもよい。図５に示されている様な１つの実施形態では、折り畳み式脚部８２は、折り畳み式脚部８２が中央ピン周りに枢動して伸展したり折り畳まれたりする鋏構成を備えていてもよい。別の実施形態では、折り畳み式脚部８２は、内部に引っ込めて折り畳むことのできる入れ子式の脚部を備えていてもよい。何れの他の折り畳み式構成が追加的又は代替的に使用されてもよいものと理解されたい。引き続き図５を参照して、折り畳み式担架輸送組立体８０は、更に、折り畳み式担架輸送組立体８０の地面の上での支援式移動が可能になるように折り畳み式脚部８２の基部に複数の底車輪８４を備えていてもよい。別の実施形態では、折り畳み式担架輸送組立体８０は、折り畳み式担架輸送組立体８０の車両への搬入及び搬出を支援することのできる１つ又はそれ以上の前車輪８３を追加的に備えていてもよい。折り畳み式担架輸送組立体８０は、シャーシ組立体３０又は救命担架１０の何れの他の部分へ、スナップ、ストラップ、バックル、クリップ、又は類似物の様な、何れの解放可能な接続を通して接続されていてもよい。図５に示されている様な１つの特定の実施形態では、支持フレーム８１は、シャーシ組立体３０の複数の足部３９を解放可能に受け入れる働きをする複数の固定把持部８１’を備えるものとされている。折り畳み式担架輸送組立体８０は、その上に配置された救命担架１０の支持及び／又は輸送を支援する何れの他の追加的又は代替的な特徴を備えていてもよい。
【００２２】
次に図１−図４を参照して、救命担架１０は、更に、マットレス上に配置された患者に感じ取られる外的発生源からの振動を低減する働きをする複数の振動減衰部を備えていてもよい。外的発生源からの振動には、例えば、救命担架１０が配置されている輸送車両（例えば、自動車、航空機、ヘリコプター、など）の運動によって引き起こされる振動、ここで追って理解されるであろうが救命担架を折り畳み式担架輸送組立体８０に載せて輸送する際に被る振動、救命担架１０に密に近接している重器材からの振動、又は救命担架１０を通して患者へ伝わり得るその他の振動、が含まれるであろう。その様な振動は様々な変化に富む周波数を保有していることであり、その結果、救命担架１０は、複数の発生源又は他の動的条件に起因する複数の周波数の振動に曝されることになる。例えば、救命担架が、事故現場から医療施設へ輸送される際に、トラック、救急車、ヘリコプター、及び／又は航空機、を乗り継いで移送される場合、それぞれの輸送モードが救命担架へ異なった周波数の振動を与えることであろう。その様な振動の周波数範囲には、例えば、約１７５０ヘルツ（Ｈｚ）から約１８５０Ｈｚ、約４５０Ｈｚから約５５０Ｈｚ、及び／又は約３０Ｈｚから約７０Ｈｚ、が含まれることであろう。
【００２３】
救命担架１０の上又は周りの複数の振動減衰部は、従って、異なった周波数範囲の振動を低減する能力のある多数の異なった振動減衰部を備えることができる。具体的には、第１振動減衰部（例えば垂直シャーシ支持部４０の１つ又はそれ以上など）が第１振動発生源（例えばトラックなど）からの第１周波数範囲（例えば約１７５０ｈｚから約１８５０ｈｚなど）の振動を低減する働きをし、第２振動減衰部（例えば把持部５５の１つ又はそれ以上など）が第２振動発生源（例えば航空機など）からの第２周波数範囲（例えば約４５０ｈｚから約５５０ｈｚなど）の振動を低減する働きをし、第３振動減衰部（例えば足部３９の１つ又はそれ以上など）が第３振動発生源（例えばヘリコプターなど）からの第３周波数範囲（例えば約３０ｈｚから約７０ｈｚなど）の振動を低減する働きをしていてもよい。振動減衰部は、救命担架１０の上記要素の何れか又は全てを備えることもできるし、又は救命担架への追加の要素を備えていて、それら要素が或る特定の周波数範囲の振動を低減する働きをしていてもよい。
【００２４】
次に図１−図３及び図７を参照して、１つの実施形態では、複数の振動減衰部の１つは、１つ又はそれ以上の垂直シャーシ支持部４０（即ち、シャーシ組立体３０の２つ又はそれ以上の構成要素を接続している筋交い、トラス、又は類似の構造物）を備えていてもよい。例えば、シャーシ支持部４０がロッドを備えている場合、ロッドをゴムスリーブで囲んで、そうでなければロッドを通過するはずの振動を吸収及び減衰させるようにしてもよい。シャーシ支持部が管を備えている場合、管はその内部に振動を吸収及び減衰させるゴムインサートを備えていてもよい。更に別の実施形態では、シャーシ支持部４０は、それ自体単独でゴム材料から成っていてもよい。また更に別の実施形態では、シャーシ支持部４０とそれに隣接するシャーシ組立体構成要素（例えば、第１上水平管３１及び第１下水平管３２）の間の接続継手４３、４４が１つ又はそれ以上のゴム要素を備え、シャーシ支持部４０と隣接のシャーシ組立体構成要素を互いに直接触れ合わさず、むしろそれらの間を通過する振動を減衰させるゴム接続部を介して互いに係合させていてもよい。例えば、継手４３、４４がボルトを備えている場合、継手４３、４４は、更に、シャーシ支持部４０と隣接のシャーシ構成要素の間に配置されているゴムワッシャを備えていてもよい。継手４３、４４がシャーシ支持部４０の周囲を廻って固定するクラスプを備えている場合、クラスプはゴムで裏打ちされていてもよい。シャーシ支持部４０が隣接するシャーシ構成要素の中へ挿入されている場合、シャーシ支持部４０は、シャーシ支持部４０を隣接のシャーシ構成要素から分離するゴムスリーブを備えていてもよい。シャーシ支持部４０を通過するはずの振動を減衰させるのに、何れの他の構成が追加的に又は代替的に実現されてもよいものと理解されたい。
【００２５】
以上に論じられている様に、垂直シャーシ支持部４０は、シャーシ組立体３０に追加の強度を提供するために、継手４３、４４によって接続されている水平支持体４５と垂直支持体４１、４２の組合せを備えていてもよい。シャーシ支持部４０が振動減衰部としての役目を果たしている実施形態では、垂直支持体４１、４２は、シャーシ組立体３０（及びひいては救命担架１０）が被る実質的に垂直方向の振動を低減するためにゴムの様な振動減衰材料を備えていてもよい。シャーシ支持部４０が振動減衰部を備えている別の実施形態では、水平支持体４５は、代替的又は追加的に、シャーシ組立体３０（及びひいては救命担架１０）が被る実質的に水平方向の振動を低減するために振動減衰材料を備えていてもよい。シャーシ支持部４０が振動減衰部を備えている更に別の実施形態では、継手４３、４４（水平支持体４５及び垂直支持体４１を互いへ及びシャーシ組立体３０へ接続）は、様々な方向からの振動を低減するために振動減衰材料を備えていてもよい。その様な実施形態では、シャーシ組立体３０は、１つの振動減衰部を備える単一のシャーシ支持部を備えていてもよいし、又は複数の振動減衰部を備える複数の振動支持部を備えていてもよい。
【００２６】
次に図１−図３及び図８を参照して、別の実施形態では、複数の振動減衰部の１つは、救命担架１０側の１つ又はそれ以上の把持部５５を備えていてもよい。例えば、１つの特定の実施形態では、把持部組立体５０の１つ又はそれ以上は、概して、接続端５１、プラグ５２、コア５３、絶縁体５４、及び把持部５５、を備えていてもよい。接続端５１は、把持部組立体５０全体を救命担架１０へ物理的に接続する、シャーシ組立体３０と一体であるか又はシャーシ組立体３０へ取り付けられている構造を備えていてもよい。プラグ５２は、接続端５１の中へ挿入でき、コア５３がプラグ５２の上を滑動できるように接続端から外へ延び、接続端５１から持ち手を延ばすための土台を提供していてもよい。絶縁体５４は、把持部組立体５０全体に対する振動減衰を提供するようにコア５３の上を滑動することができ、次いで把持部５５がコア５３及び／又は絶縁体５４へ接続している。絶縁体５４は、振動を減衰させ、それにより、振動が把持部５５から接続端５１へ（及びひいては救命担架１０へ）進んでゆくのを抑制する何れの材料を備えていてもよい。例えば、絶縁体５４は、ゴム、発泡体、布、ゲル、又は振動を低減する働きをする何れの他の材料を備えていてもよい。別の実施形態では、把持部組立体５０の他の構成要素（例えば、接続端５１、プラグ５２、コア５３、及び把持部５５）の１つ又はそれ以上は、同様に、振動を減衰させる何れかの材料を備えていてもよい。把持部５５が救命担架１０と一体になった単体である場合の様な更に別の実施形態では、把持部５５は、救命担架１０を動かすための構造的支持を提供すると同時に振動減衰部も提供するように、比較的剛性のある振動低減材料（例えば比較的硬質のゴムなど）を備えていてもよい。
【００２７】
把持部組立体５０が（図１−図３に示されている）伸展位置と（図６に示されている）折り畳み位置の間で折り畳み可能である別の実施形態では、把持部組立体５０は、折り畳み位置に入ったら振動減衰部を構成するようになっていてもよい。例えば、把持部組立体５０が折り畳み位置にあるとき、伸展位置にあったなら把持部を通過したはずの振動は、折り畳まれた構成のせいで、もはやベッド組立体２０へ通過してゆくことはないであろう。加えて、把持部組立体５０が折り畳み位置に配置されていることで、外部振動発生源と救命担架の間の接触の可能性のある場所が限定されることにより、把持部を介して救命担架に関与する外部からの振動はより少なくなろう。
【００２８】
次に図１−図３及び図９を参照して、ベッド組立体２０が、ベッド組立体２０の調節可能な上体部分２１をシャーシ組立体３０の複数の横木３６の１つへ接続している１つ又はそれ以上の可動式支柱６０を介して、調節可能である様な更に別の実施形態では、複数の振動減衰部は、可動式支柱６０が調節可能な上体部分２１へ接続している所と可動式支柱６０が複数の横木３６の１つへ接続している所に配置されていてもよい。別の実施形態では、複数の振動減衰部は、患者の一部分だけに特定の振動周波数範囲の振動減衰を提供するように、調節可能な上体２１部分か又は調節可能な下体部分２２かのどちらかの周りに配置されてもよい。更に別の実施形態では、複数の振動減衰部の１つは、シャーシ組立体３０とマットレスフレーム２５の間の可動式支柱６０へ接続されているブッシング６１を備えていてもよい。図７に最も明瞭に示されている様に、可動式支柱６０は、それぞれ、概して、ブッシング６１へ接続されている持上棒６２を備えていてもよい。ブッシング６１はシャーシ組立体３０の複数の横木３６の１つへ接続されており、一方、持上棒６２はベッド組立体２０へ接続されている。持上棒６２は、長さが伸びてゆくとベッド組立体２０の一部分を（図２に示されている様に）起こすように、伸展可能であってもよい。ブッシング６１は、それに関して、横木３６又は持上棒６２を通って進む振動を低減するように振動減衰材料を備えていてもよい。１つの実施形態では、ブッシング６１は、ゴム製のＯリングが横木３６とブッシング６１の間及び／又は持上棒６２とブッシング６１の間に配置されるようにして、ブッシング６１の内部に配置された１つ又はそれ以上のＯリングを備えていてもよい。別の実施形態では、ブッシング６１の内部及び／又は横木３６又は持上棒６２の外部はゴム面を備えていてもよく、その場合、それらの間を進む振動はおそらくゴム面によって減衰する。
【００２９】
次に図１−図３を参照して、更に別の実施形態では、足部３９は、救命担架１０側の振動減衰部の働きをしていてもよい。以上に論じられている様に、足部３９は、シャーシ組立体へ接続されている構造的な支持部であって、救命担架を地面から離れたより高くなった位置に保つと共にシャーシ組立体３０と輸送機構の間の固定を可能にする何れの構造的支持部を備えていてもよい。輸送車両から足部３９を通って救命担架１０へ進む振動を減衰させるために、足部３９の１つ又はそれ以上は振動減衰材料又は振動減衰構成を備えていてもよい。例えば、１つの実施形態では、足部３９の又はそれ以上は、或る特定の周波数範囲の振動を少なくとも一部減衰させる働きをするゴム材料を備えていてもよい。例えば、足部がリング構成を備えている場合、リングの中央が足部３９を通過する振動を減衰させる働きをするゴム材料を備えていてもよい。代替的又は追加的に、足部は、地面に係合し地面との間の振動を減衰させる働きをするゴム面又はゴム被覆を備えていてもよい。別の実施形態では、足部３９の１つ又はそれ以上は、外力を吸収するように曲がるか又は変化することのできる比較的柔軟な又は曲がる材料（例えば、比較的柔軟なプラスチック）を備えていてもよい。更に別の実施形態では、足部３９の１つ又はそれ以上は、輸送車両内での救命担架１０の垂直方向の運動を低減するばね構成を備えていてもよい（例えば、起伏に富む地形の上を進んでゆく場合など）。
【００３０】
図１−図４を参照して、別の実施形態では、複数の振動減衰部の１つは、マットレス２６を備えていてもよい。例えば、マットレス２６は、ゴム、発泡体、布、ゲル、又は振動を低減する働きをする何れかの他の材料の様な、何れかの振動減衰材料を備えていてもよい。１つの実施形態では、以上に論じられている様に、マットレス２６は、マットレス２６上の患者に感じ取られる振動の量を低減するために、１つ又はそれ以上の空気袋を備えていてもよい。別の実施形態では、マットレス２６は、マットレス２６とマットレスフレーム２５がゴム、発泡体、布、ゲル、又は類似物、によって分離されるように、その底面に振動減衰材料を備えていてもよい。その様な実施形態では、マットレス２６全体が１つの振動減衰部を備えていてもよいし、マットレス２６の選択された諸部分が振動減衰部を備えていてもよい。
【００３１】
以上に論じられている様に、複数の振動減衰部のそれぞれは、特定の周波数範囲の振動を低減するよう目標が絞られていてもよい。例えば、第１振動減衰部が複数の足部３９である場合、複数の足部３９は、ヘリコプターでの移動によって生じる約３０Ｈｚから約７０Ｈｚの第１周波数範囲の振動を減衰させるように構成されていてもよい。第２振動減衰部は、１つ又はそれ以上の垂直シャーシ支持部４０及び／又は可動式支柱６０のブッシング６１であってもよい。第２振動減衰部は、救急車での移動によって生じる約４５０Ｈｚから約５５０Ｈｚの第２周波数範囲の振動を減衰させるように構成されていてもよい。最後に、第３振動減衰部は、折り畳み式担架輸送組立体８０に載せて輸送されるときに被る約１７５０ｈｚから約１８５０ｈｚの第３周波数範囲の振動を減衰させるように構成されているマットレス２６であってもよい。複数の振動減衰部は、それにより、協働して、患者が負傷の地点と医療施設の間の輸送サイクル全体を通して感じ取る様々な振動を減衰させることができるであろう。
【００３２】
実現性のある振動減衰部として救命担架１０の特定の構成要素を参照してきたが、これらの候補は網羅的なものではなく、救命担架１０の１つ又はそれ以上の他の構成要素が、代替的又は追加的に、類似の又は異なった周波数範囲の振動を減衰させるための振動減衰部を備えることもできるものと理解されたい。例えば、追加の振動減衰部が、２つ又はそれ以上の個々の部品の間の何れかの接続部に、又は救命担架１０全体の中の何れか他の場所に、配置されていてもよい。
【００３３】
「実質的に」及び「約」という用語は、ここでは、何らかの量的比較、数値、測定値、又は他の表記、に帰属する固有の不確定度を表すのに用いられていることを指摘しておく。これらの用語は、ここでは、量的表記が、言及されている基準から、問題になっている主題の基本的機能に変化を生じさせることなく変動し得る程度を表すのにも用いられている。
【００３４】
特定の実施形態をここに示し説明してきたが、特許請求対象の主題の精神と範囲から逸脱することなく、様々な他の変更及び修正が加えられることもあるものと理解されたい。また、特許請求対象の主題の様々な態様をここに説明してきたが、その様な態様は組み合わせて利用される必要はない。従って、付随の特許請求の範囲は、特許請求対象の主題の範囲の内にある全てのその様な変更及び修正に及ぶものとする。
【符号の説明】
【００３５】
１０  救命担架
２０  ベッド組立体
２１  上体部分
２２  下体部分
２５  マットレスフレーム
２５ａ、２５ｂ、２５ｃ、２５ｄ  平坦表面部分
２６  マットレス
２６ａ、２６ｂ、２６ｃ、２６ｄ  マットレスの部分
２７  マットレスフレームの外管
２８  支持材料
３０  シャーシ組立体
３１  第１上水平管
３２  第１下水平管
３３  第２上水平管
３４  第２下水平管
３５  取付軌道
３６  横木
３９  足部
４０  垂直シャーシ支持部
４１、４２  垂直支持体
４３、４４  接続継手
４５  水平支持体
５０  把持部組立体
５１  接続端
５２  プラグ
５３  コア
５４  絶縁体
５５  把持部
６０  可動式支柱
６１  ブッシング
６２  持上棒
７０  安全拘束具
７１  胴体上部ハーネス
７２  中間部ベルト
７３  クリップ
７４  第１脚部ベルト
７５  第２脚部ベルト
８０  折り畳み式担架輸送組立体
８１  支持フレーム
８１’  固定把持部
８２  折り畳み式脚部
８３  前車輪
８４  底車輪
９０  保管区域
Ｌ  長さ
Ｗ  幅
Ｈ  高さ
【図１】
2013542045.tif 000003
【図２】
2013542045.tif 000004
【図３】
2013542045.tif 000005
【図４】
2013542045.tif 000006
【図５】
2013542045.tif 000007
【図６】
2013542045.tif 000008
【図７】
2013542045.tif 000009
【図８】
2013542045.tif 000010
【図９】
2013542045.tif 000011
【国際調査報告】
2013542045.tif 000012
2013542045.tif 000013
2013542045.tif 000014
2013542045.tif 000015
2013542045.tif 000016